(57)【要約】【課題】取付剛性の確保を容易にする。座の回転トルクの独立した調整を可能にする。製造コストを安くする。【解決手段】脚１の外周面１ａから径方向に突出し座側取付部２が載せられる支持部３と、支持部３との間に座側取付部２を回転可能に挟み込む押さえ部４と、支持部３と座側取付部２との間に設けられた第１の摺動部材５と、座側取付部２と押さえ部４との間に設けられた第２の摺動部材６と、押さえ部４から第２の摺動部材６又は支持部３から第１の摺動部材５に向けて突出し、その突出量を増減することで第２の摺動部材６又は第１の摺動部材５と座側取付部２との間に生じる摩擦力を調整する調整機構７を備えている。【選択図】図１
2007215933.tif 000002
【特許請求の範囲】
【請求項１】
脚の外周面から径方向に突出し座側取付部が載せられる支持部と、前記支持部との間に前記座側取付部を回転可能に挟み込む押さえ部と、前記支持部と前記座側取付部との間に設けられた第１の摺動部材と、前記座側取付部と前記押さえ部との間に設けられた第２の摺動部材と、前記押さえ部から前記第２の摺動部材又は前記支持部から前記第１の摺動部材に向けて突出し、その突出量を増減することで前記第２の摺動部材又は前記第１の摺動部材と前記座側取付部との間に生じる摩擦力を調整する調整機構を備えることを特徴とする椅子の座の回転支持機構。
【請求項２】
前記座側取付部の前記第１の摺動部材と前記第２の摺動部材との間に挟み込まれる部分は板状を成す共に、当該板状を成す部分には孔が設けられており、前記孔に前記脚の上端を通すことで前記座側取付部の板状を成す部分は前記支持部の上に載置され、前記押さえ部は前記脚の上端にねじ止めされることを特徴とする請求項１記載の椅子の座の回転支持機構。
【請求項３】
前記孔の周面と前記脚の外周面との間には隙間が設けられており、前記第１の摺動部材と前記第２の摺動部材の少なくともいずれか一方に、前記隙間に挿入される円筒状摺動部を設けたことを特徴とする請求項２記載の椅子の座の回転支持機構。
【請求項４】
前記調整機構は前記押さえ部に上からねじ込まれ、その先端が前記押さえ部の底面から突出する調整ねじであることを特徴とする請求項１から３のいずれか１つに記載の椅子の座の回転支持機構。
【請求項５】
前記調整機構は前記支持部に下からねじ込まれ、その先端が前記支持部の上面から突出する調整ねじであることを特徴とする請求項１から３のいずれか１つに記載の椅子の座の回転支持機構。
【発明の詳細な説明】
【技術分野】
【０００１】
本発明は、椅子の座の回転支持機構に関する。更に詳しくは、本発明は、脚に対して、１本の軸を中心に回転可能に座を取り付けるタイプの椅子の座の回転支持機構に関するものである。
【背景技術】
【０００２】
椅子の座の回転支持機構として、例えば実用新案登録第３０５５８０４号公報に開示されたものがある。この回転支持機構を図５〜図７に示す。座部１０１の座板１０２の底面には上支柱保持部１０３が形成されており、上支柱保持部１０３の収容部１０４と締付部１０５との間には、筒状圧着部材１０６が配置されている。筒状圧着部材１０６にはすり割部１０７が設けられており、すり割部１０７に上支柱１０８の上端部を挿入し、締め付けねじ１０９，１１０によって収容部１０４と締付部１０５との間の間隔を狭めることで、座部１０１が上支柱１０８に取り付けられている。
【０００３】
筒状圧着部材１０６はナイロン等の合成樹脂やゴム等、適度な弾性を有する材料によって形成されている。したがって、締め付けねじ１０９，１１０によって収容部１０４と締付部１０５とを締め付けても筒状圧着部材１０６を上支柱１０８に対して摺動させることができ、座部１０１を上支柱１０８に対して回転させることができる。
【０００４】
【特許文献１】実用新案登録第３０５５８０４号
【発明の開示】
【発明が解決しようとする課題】
【０００５】
しかしながら、上述の回転支持機構では、上支柱１０８を径方向から挟み付けるようにして座部１０１を取り付けているので、挟み付けることができる面積が狭く、取付剛性が弱かった。
【０００６】
また、上支柱１０８に対する座部１０１の回転トルクを調整するには締め付けねじ１０９，１１０の締め付け量を変化させる必要があり、締め付けねじ１０９，１１０の締め付け量を変化させると座部１０１の取付剛性も変化してしまうので、座部１０１の取り付けとは別に回転トルクのみを独立して調整することができなかった。
【０００７】
さらに、設計通りの座部１０１の取付剛性や回転トルクを得るためには、複雑な形状を成す筒状圧着部材１０６や上支柱保持部１０３を精度良く加工する必要があり、製造コストの増加を招いていた。
【０００８】
本発明は、取付剛性の確保が容易で、座の回転トルクの独立した調整が可能で、しかも製造コストを低減することができる椅子の座の回転支持機構を提供することを目的とする。
【課題を解決するための手段】
【０００９】
かかる目的を達成するために請求項１記載の椅子の座の回転支持機構は、脚の外周面から径方向に突出し座側取付部が載せられる支持部と、支持部との間に座側取付部を回転可能に挟み込む押さえ部と、支持部と座側取付部との間に設けられた第１の摺動部材と、座側取付部と押さえ部との間に設けられた第２の摺動部材と、押さえ部から第２の摺動部材又は支持部から第１の摺動部材に向けて突出し、その突出量を増減することで第２の摺動部材又は第１の摺動部材と座側取付部との間に生じる摩擦力を調整する調整機構を備えるものである。
【００１０】
したがって、椅子の座が取り付けられる座側取付部は支持部と押さえ部との間に挟み込まれた状態で脚に取り付けられる。座側取付部は支持部の上に載せられており、座側取付部から入力する荷重を広い面積で受けることができる。また、支持部と押さえ部とで座側取付部を挟み付ける構造であるので、しっかりと座側取付部を挟み付けることができる。支持部と座側取付部との間には第１の摺動部が設けられており、且つ座側取付部と押さえ部との間には第２の摺動部材が設けられているので、支持部及び押さえ部に対して座側取付部を良好に回転させることができる。
【００１１】
調整機構が押さえ部から第２の摺動部材に向けて突出するものである場合、その突出量を増加させると第２の摺動部材が押さえ部から離れる方向に移動して座側取付部の上面により強く押し付けられ、第２の摺動部材と座側取付部との間に生じる摩擦力が増加する。したがって、支持部及び押さえ部に対して座側取付部を回転させるのに必要なトルクが増加する。一方、調整機構の突出量を減少させると第２の摺動部材を座側取付部に押し付ける力が弱まるので、第２の摺動部材と座側取付部との間に生じる摩擦力が減少する。したがって、支持部及び押さえ部に対して座側取付部を回転させるのに必要なトルクが減少する。
【００１２】
また、調整機構が支持部から第１の摺動部材に向けて突出するものである場合、その突出量を増加させると第１の摺動部材が支持部から離れる方向に移動して座側取付部の底面により強く押し付けられ、第１の摺動部材と座側取付部との間に生じる摩擦力が増加する。したがって、支持部及び押さえ部に対して座側取付部を回転させるのに必要なトルクが増加する。一方、調整機構の突出量を減少させると第１の摺動部材を座側取付部に押し付ける力が弱まるので、第１の摺動部材と座側取付部との間に生じる摩擦力が減少する。したがって、支持部及び押さえ部に対して座側取付部を回転させるのに必要なトルクが減少する。
【００１３】
また、請求項２記載の椅子の座の回転支持機構は、座側取付部の第１の摺動部材と第２の摺動部材との間に挟み込まれる部分は板状を成す共に、当該板状を成す部分には孔が設けられており、孔に脚の上端を通すことで座側取付部の板状を成す部分は支持部の上に載置され、押さえ部は脚の上端にねじ止めされるものである。
【００１４】
したがって、支持部を正確な位置、即ち脚の上端から所定長離れた位置に設けておくことで、押さえ部を脚の上端に固定した場合に支持部と押さえ部との間隔を正確なものにすることができる。このため、支持部と押さえ部とで座側取付部をしっかりと挟み付けることができる。しかも、押さえ部は脚の上端にねじ止めされるものであり、ねじ込み量を変えることで押さえ部の位置も脚の軸方向に変化するので、支持部と押さえ部とによる座側取付部の挟み付けの調整が容易である。
【００１５】
また、請求項３記載の椅子の座の回転支持機構は、孔の周面と脚の外周面との間には隙間が設けられており、第１の摺動部材と第２の摺動部材の少なくともいずれか一方に、隙間に挿入される円筒状摺動部を設けたものである。したがって、座側取付部に水平方向の力が作用した場合であっても、座側取付部が脚の外周面に直接接触することがなく、座側取付部を良好に回転させることができる。
【００１６】
また、請求項４記載の椅子の座の回転支持機構は、調整機構は押さえ部に上からねじ込まれ、その先端が押さえ部の底面から突出する調整ねじである。したがって、調整ねじのねじ込み量を変えることで、その突出量を変化させて第２の摺動部材と座側取付部との間に生じる摩擦力を調整することができる。
【００１７】
さらに、請求項５記載の椅子の座の回転支持機構は、調整機構は支持部に下からねじ込まれ、その先端が支持部の上面から突出する調整ねじである。したがって、調整ねじのねじ込み量を変えることで、その突出量を変化させて第１の摺動部材と座側取付部との間に生じる摩擦力を調整することができる。
【発明の効果】
【００１８】
請求項１記載の椅子の座の回転支持機構では、脚の外周面から径方向に突出し座側取付部が載せられる支持部と、支持部との間に座側取付部を回転可能に挟み込む押さえ部と、支持部と座側取付部との間に設けられた第１の摺動部材と、座側取付部と押さえ部との間に設けられた第２の摺動部材を備えているので、椅子の座が取り付けられる座側取付部から入力する荷重を広い面積で受けることができると共に、座側取付部をその上下から支持部と押さえ部とでしっかりと挟み付けることができる。これらのため、脚に対する座側取付部の取付剛性を大きくすることができ、座り心地を向上させることができる。
【００１９】
また、押さえ部から第２の摺動部材又は支持部から第１の摺動部材に向けて突出し、その突出量を増減することで第２の摺動部材又は第１の摺動部材と座側取付部との間に生じる摩擦力を調整する調整機構を備えているので、支持部及び押さえ部に対して座側取付部を回転させるのに必要なトルク（回転トルク）を、座側取付部の取り付けとは別に調整することができる。このため、座側取付部の回転トルクの調整が容易であり、特に微調整するの適している。また、調整機構によって第１の摺動部材と座側取付部との間に生じる摩擦力、又は第２の摺動部材と座側取付部との間に生じる摩擦力を調整することができるので、部品の加工精度を高めることで摩擦力を設計値通りに出す必要がなくなり、部品の加工精度をある程度落とすことが可能になる。即ち、部品の加工精度をある程度落としても、調整機構による調整で第１の摺動部材又は第２の摺動部材と座側取付部との間に生じる摩擦力を設計値通りに出すことができる。このため、部品の製造コストを下げることができ、回転支持機構を安価に提供することができる。
【００２０】
また、請求項２記載の椅子の座の回転支持機構では、座側取付部の第１の摺動部材と第２の摺動部材との間に挟み込まれる部分は板状を成す共に、当該板状を成す部分には孔が設けられており、孔に脚の上端を通すことで座側取付部の板状を成す部分は支持部の上に載置され、押さえ部は脚の上端にねじ止めされているので、支持部を正確な位置に設けておくことで、支持部と押さえ部とで座側取付部をしっかりと挟み付けることができる。ここで、支持部は脚の外周面に設けられるものであり、支持部を正確な位置に設けるのは容易である。また、脚の上端に押さえ部をねじ止めするのも容易である。これらのため、取付剛性の大きな椅子の座の回転支持機構を安い製造コストで提供することができる。
【００２１】
また、請求項３記載の椅子の座の回転支持機構では、孔の周面と脚の外周面との間に隙間を設け、第１の摺動部材と第２の摺動部材の少なくともいずれか一方に、隙間に挿入される円筒状摺動部を設けているので、座側取付部に水平方向の力が作用した場合であっても、座側取付部を良好に回転させることができる。また、円筒状摺動部は第１の摺動部材と第２の摺動部材の少なくともいずれか一方に設けられているので、部品点数を増加させることがなく、製造コストの増加を抑えることができる。
【００２２】
また、請求項４記載の椅子の座の回転支持機構では、調整機構が押さえ部に上からねじ込まれ、その先端が押さえ部の底面から突出する調整ねじであるので、調整ねじのねじ込み量を変えることで、その突出量を変化させて第２の摺動部材と座側取付部との間に生じる摩擦力を調整することができる。即ち、簡単な構成で調整機構を実現することができる。
【００２３】
さらに、請求項５記載の椅子の座の回転支持機構では、調整機構が支持部に下からねじ込まれ、その先端が支持部の上面から突出する調整ねじであるので、調整ねじのねじ込み量を変えることで、その突出量を変化させて第１の摺動部材と座側取付部との間に生じる摩擦力を調整することができる。即ち、簡単な構成で調整機構を実現することができる。
【発明を実施するための最良の形態】
【００２４】
以下、本発明の構成を図面に示す最良の形態に基づいて詳細に説明する。
【００２５】
図１〜図４に、本発明の椅子の座の回転支持機構の実施形態の一例を示す。なお、図１は図３のＩ−Ｉ線に沿う位置の断面図、図２は図３のＩＩ−ＩＩ線に沿う位置の断面図である。椅子の座の回転支持機構は、脚１の外周面１ａから径方向に突出し座側取付部２が載せられる支持部３と、支持部３との間に座側取付部２を回転可能に挟み込む押さえ部４と、支持部３と座側取付部２との間に設けられた第１の摺動部材５と、座側取付部２と押さえ部４との間に設けられた第２の摺動部材６と、押さえ部４から第２の摺動部材６又は支持部３から第１の摺動部材５に向けて突出し、その突出量を増減することで第２の摺動部材６又は第１の摺動部材５と座側取付部２との間に生じる摩擦力を調整する調整機構７を備えるものである。本実施形態の調整機構７は、押さえ部４から第２の摺動部材６に向けて突出し、第２の摺動部材６と座側取付部２との間に生じる摩擦力を調整するものである。
【００２６】
脚１は、例えば４本の支柱８の上部を一纏めにして鞘管９で覆った構造を成している。支柱８は、例えば横断面形状が円形を成す棒材で、例えばステンレススチール製のものである。支柱８の上端面にはねじ孔８ａが形成されている。４本の支柱８の上部は例えば上から見て正方形の四隅に配置されるように並べられ、高さを揃えてスペーサ１０の側面に例えば溶接等の手段によって固着されている。４本の支柱８の外周面には段部８ｂが設けられており、段部８ｂよりも上の部分は若干細くなっている。
【００２７】
４本の支柱８の段部８ｂよりも上の部分（以下、細径部８ｃという）は鞘管９で覆われている。鞘管９は、例えばステンレススチール製の管状部材で、細径部８ｃの長さと同じ長さに形成されている。鞘管９を４本の支柱８の細径部８ｃに被せると、鞘管９と支柱８との間に若干の隙間が生じる。鞘管９の下端は４本の支柱８の段部８ｂに当接している。鞘管９の上端は４本の支柱８の上端に例えば溶接等の手段によって固着されている。本実施形態では、鞘管９が脚１の外周部分を構成する部材であるので、鞘管９の外周面が脚１の外周面１ａである。
【００２８】
支柱８の細径部８ｃを鞘管９で覆うことで、支柱８とスペーサ１０との溶接部分を隠すことができる。このため、脚１の外観が良くなり、商品価値を向上させることができる。また、溶接部分が露出する場合には溶接部分の見た目が比較的綺麗なＴＩＧ溶接等の高価な溶接手段を使用する必要があるが、鞘管９によって溶接部分を隠すことができるので溶接部分の見た目を気にする必要がなくなり、例えばＣＯ２溶接等の安価な溶接手段を使用することができる。さらに、脚１に荷重がかかると４本の支柱８の下端が開こうとするが、細径部８ｃを鞘管９で覆うことで４本の支柱８が大きく開くのを防止することができる。このため、溶接部分に過大な力が作用するのを防止することができ、脚１の剛性を向上させることができる。
【００２９】
支持部３は、例えばステンレススチール製の円板で、中央に鞘管９の外径とほぼ同じ直径の孔３ａが設けられている。支持部３は、脚１の外周面１ａに例えば溶接等の手段によって固着されている。なお、図１及び図２の符号１１は溶接のビードである。
【００３０】
座側取付部２には、図示しない椅子の座が取り付けられる。座側取付部２の第１の摺動部材５と第２の摺動部材６との間に挟み込まれる部分は板状を成し、当該板状を成す部分には孔２ａが設けられており、孔２ａに脚１の上端を通すことで座側取付部２の板状を成す部分は支持部３の上に載置される。本実施形態では、座側取付部２は、例えばステンレススチール製の板材であり、座側取付部２全体が板状を成している。座側取付部２の中央には、上述の孔２ａ、即ち鞘管９よりも大径で、隙間１２を生じさせる孔２ａが設けられている。座側取付部２は平面形状が長方形の板材で、その四隅には図示しない椅子の座を取り付けるための孔２ｃが設けられている。
【００３１】
押さえ部４は、例えばステンレススチール製の円板で、４本の支柱８のねじ孔８ａに対向する位置には締め付けねじ１３を通す貫通孔４ａが設けられている。また、第２の摺動部材６に対向する位置には２つのねじ孔４ｂ，４ｃ、具体的には調整機構７を通す調整ねじ孔４ｂと、結合ねじ１４を通す結合ねじ孔４ｃが設けられている。押さえ部４は脚１の上端に、例えば４本の締め付けねじ１３によってねじ止めされる。
【００３２】
第１の摺動部材５は、支持部３と同じ大きさの円板で、その中央には支持部３の孔３ａと同じ直径の孔５ａが設けられている。第２の摺動部材６は、押さえ部４と同じ大きさの円板で、その中央には支持部３の孔３ａと同じ直径、即ち鞘管９の外径とほぼ同じ直径の孔６ａが設けられている。本実施形態では、座側取付部２の孔２ａの周面２ｂと脚１の外周面１ａとの間には隙間１２が設けられており、第２の摺動部材６に、隙間１２に挿入される円筒状摺動部１５が一体成形されている。第１及び第２の摺動部材５，６は、例えばポリアセタール、ガラス繊維入りナイロン、ガラス繊維の入っていないナイロン等の摩擦抵抗が少ない材料で形成されている。
【００３３】
第２の摺動部材６の結合ねじ孔４ｃに対向する位置には、孔６ｂが設けられている。押さえ部４の結合ねじ孔４ｃに結合ねじ１４をねじ込み、結合ねじ１４の先端を孔６ｂ内に突出させることで、押さえ部４と第２の摺動部材６との相対回転を不能にする一方、押さえ部４に対する第２の摺動部材６の軸方向への変位を可能にする。これにより、調整機構７の先端が第２の摺動部材６の上面に対して摺動して摩耗させるのを防止することができると共に、調整機構７による調整を可能にしている。
【００３４】
調整機構７は、例えば押さえ部４に上からねじ込まれ、その先端７ａが押さえ部４の底面４ｄから突出する調整ねじ（以下、調整ねじ７という）である。
【００３５】
次に、椅子の座の回転支持機構の組み立てについて説明する。先ず最初に、４本の支柱８をスペーサ１０に固着して一纏めにした後、支持部３が固着されている鞘管９を４本の支柱８の細径部８ｃに被せてこれらの上端を固着する。そして、支持部３の上に第１の摺動部材５と座側取付部２と第２の摺動部材６をこの順番で重ねる。この時、第２の摺動部材６の円筒状摺動部１５を座側取付部２の孔２ａの内側の隙間１２に嵌め込む。
【００３６】
この状態で押さえ部４を脚１の上端にねじ止めする。４本の締め付けねじ１３を押さえ部４の貫通孔４ａに挿入し、支柱８のねじ孔８ａにねじ込むことで、押さえ部４を脚１の上端に固定することができる。次に、押さえ部４の結合ねじ孔４ｃに結合ねじ１４をねじ込み、その先端を第２の摺動部材６の孔６ｂ内に突出させる。また、押さえ部４の調整ねじ孔４ｂに調整ねじ７をねじ込み、第２の摺動部材６と座側取付部２との間の摩擦力を調整して支持部３及び押さえ部４に対して座側取付部２を回転させるのに必要なトルク（回転トルク）を調整する。その後、座側取付部２に座を取り付ける。
【００３７】
調整ねじ７による座側取付部２の回転トルクの調整は、次のようにして行われる。調整ねじ７の押さえ部４の底面からの突出量を増加させると、第２の摺動部材６が押さえ部４から離れる方向に移動して座側取付部２の上面により強く押し付けられる。このため、第２の摺動部材６と座側取付部２との間に生じる摩擦力が増加し、座側取付部２の回転トルクを増加させることができる。一方、調整ねじ７の突出量を減少させると、第２の摺動部材６を座側取付部２に押し付ける力が弱まるので、第２の摺動部材６と座側取付部２との間に生じる摩擦力が減少する。このため、座側取付部２の回転トルクを減少させることができる。なお、座側取付部２ががた付いている場合には、調整ねじ７の突出量を増加させることで、座側取付部２のがた付きを解消することもできる。
【００３８】
座側取付部２の回転トルクの調整は椅子の組み付け時に行うことも可能であるが、椅子の使用によって再調整が必要になった場合にも、座側取付部２から座を外すことで調整ねじ７を露出させることができるので、簡単に再調整することができる。
【００３９】
本発明の椅子の座の回転支持機構では、座側取付部２は支持部３と押さえ部４との間に挟み込まれた状態で脚１に取り付けられている。座側取付部２は支持部３の上に載せられており、座側取付部２から入力する荷重を広い面積で受けることができる。また、支持部３と押さえ部４とで座側取付部２を挟み付ける構造であり、しっかりと座側取付部２を挟み付けることができる。これらのため、脚１に対する座側取付部２の取付剛性を大きくすることができ、座り心地を向上させることができる。
【００４０】
また、支持部３と座側取付部２との間には第１の摺動部材５が設けられており、座側取付部２と押さえ部４との間には第２の摺動部材６が設けられているので、支持部３及び押さえ部４に対して座側取付部２を良好に回転させることができる。
【００４１】
また、押さえ部４の取り付け後、調整ねじ７によって座側取付部２の回転トルクの調整を行うことができるので、先ず最初に押さえ部４をしっかりと固定して座側取付部２の取付剛性を確保した後、座側取付部２の取り付けとは別に座側取付部２の回転トルクの調整を行うことができる。このため、座側取付部２の回転トルクの調整が容易である。
【００４２】
また、調整ねじ７によって第２の摺動部材６と座側取付部２との間に生じる摩擦力を調整することができるので、部品の加工精度を高めることで摩擦力を設計値通りに出す必要がなくなり、部品の加工精度をある程度落とすことが可能になる。このため、部品の製造コストを下げることができ、座の回転支持機構を安価に提供することができる。
【００４３】
また、支持部３を正確な位置、即ち脚１の上端から所定長離れた位置に設けておくことで、押さえ部４を脚１の上端に固定した場合に支持部３と押さえ部４との間隔を正確なものにすることができる。このため、支持部３と押さえ部４とで座側取付部２をしっかりと挟み付けることができる。ここで、支持部３は脚１の外周面１ａに設けられるものであり、支持部３を正確な位置に設けるのは容易である。また、脚１の上端に押さえ部４をねじ止めするのも容易である。これらのため、座側取付部２をしっかりと挟み付けることができる椅子の座の回転支持機構を安い製造コストで提供することができる。しかも、押さえ部４は脚１の上端にねじ止めされるものであり、ねじ込み量を変えることで押さえ部４の位置も脚１の軸方向に変化するので、支持部３と押さえ部４とによる座側取付部２の挟み付けの調整が容易である。
【００４４】
また、円筒状摺動部１５を設けているので、座側取付部２に水平方向の力が作用した場合であっても、座側取付部２が脚１の外周面１ａに直接接触することがなく、座側取付部２を良好に回転させることができる。また、円筒状摺動部１５は第２の摺動部材６に一体成形されているので、部品点数を増加させることがなく、製造コストの増加を抑えることができる。
【００４５】
さらに、調整機構７を調整ねじによって構成しているので、簡単な構成で調整機構７を実現することができる。
【００４６】
なお、上述の形態は本発明の好適な形態の一例ではあるがこれに限定されるものではなく本発明の要旨を逸脱しない範囲において種々変形実施可能である。例えば、上述の説明では、支持部３を鞘管９とは別部材で構成し、鞘管９の外周面（脚１の外周面１ａ）に支持部３を固着していたが、必ずしもこの構成に限るものではなく、例えば鞘管９の外周面に支持部３を一体成形しても良い。
【００４７】
また、上述の説明では、支柱８は中実の棒部材であったが、中空のパイプによって支柱８を構成しても良い。この場合には、支柱８の上端面にねじ孔が設けられた板材を固着することで、脚１の上端に押さえ部４をねじ止めできるようにすることが好ましい。また、パイプ内の孔に雌ねじを形成しても良い。
【００４８】
また、上述の説明では、支柱８に段部８ｂを設けていたが、段部８ｂを省略しても良い。
【００４９】
また、上述の説明では、円筒状摺動部１５を第２の摺動部材６に設けていたが、第１の摺動部材５に設けても良く、第１の摺動部材５と第２の摺動部材６の両方に円筒状摺動部１５を設けても良い。また、円筒状摺動部１５は必ずしも必要ではなく、円筒状摺動部１５を省略しても良い。
【００５０】
また、上述の説明では、押さえ部４から第２の摺動部材６に向けて突出し、その突出量を増減することで第２の摺動部材６と座側取付部２との間に生じる摩擦力を調整する調整機構７を備えていたが、これに代えて、支持部３から第１の摺動部材５に向けて突出し、その突出量を増減することで第１の摺動部材５と座側取付部２との間に生じる摩擦力を調整する調整機構７を備えるようにしても良い。この場合、調整機構７は支持部３に下からねじ込まれ、その先端が支持部３の上面から突出する調整ねじであることが好ましい。この場合には、調整ねじ７のねじ込み量を変えることで、支持部３からの突出量を変化させて第１の摺動部材５と座側取付部２との間に生じる摩擦力を調整することができる。即ち、簡単な構成で調整機構７を実現することができる。
【００５１】
また、上述の説明では、４本の支柱８を一纏めにして脚１を構成していたが、一纏めにする支柱８の数は４本に限るものではなく、２本、３本又は５本以上でも良い。また、１本の支柱８によって脚１を構成しても良い。要するに、座側取付部２を取り付ける部分が一の軸となっている脚１であれば良い。
【図面の簡単な説明】
【００５２】
【図１】本発明の椅子の座の回転支持機構の実施形態の一例を示す断面図である。
【図２】同回転支持機構の別の位置における断面図である。
【図３】同回転支持機構の押さえ部を外した状態の平面図である。
【図４】同回転支持機構の押さえ部の平面図である。
【図５】従来の椅子の座の回転支持機構を採用した椅子の側面図である。
【図６】図５の椅子の座の回転支持機構の横断面図である。
【図７】図６のＶＩＩ−ＶＩＩ線に沿う上支柱保持部の断面図である。
【符号の説明】
【００５３】
１  脚
１ａ  脚の外周面
２  座側取付部
２ａ  座側取付部の孔
２ｂ  孔の周面
３  支持部
４  押さえ部
５  第１の摺動部材
６  第２の摺動部材
７  調整ねじ（調整機構）
１２  隙間
１５  円筒状摺動部
【図１】
2007215933.tif 000003
【図２】
2007215933.tif 000004
【図３】
2007215933.tif 000005
【図４】
2007215933.tif 000006
【図５】
2007215933.tif 000007
【図６】
2007215933.tif 000008
【図７】
2007215933.tif 000009